(57)【要約】      （修正有）【課題】毛様小帯の運動を効果的に伝達して眼内レンズの性能を向上させることが可能な眼内レンズ支持体を提供する。【解決手段】眼内レンズ支持体１０が装着された眼内レンズ組立体は、眼内レンズ３０と、眼内レンズ３０を取り囲む眼内レンズ支持体１０と、眼内レンズ３０を眼内レンズ支持体１０に固定させる連結手段５０とから構成される。連結手段５０は、眼内レンズ３０を内部に収容し、眼内レンズ支持体１０の内部に挿入固定される構造物からなる。眼内レンズ支持体１０は、水晶体嚢の内部に挿入される。【選択図】図５
2019130376.tif 000002
【特許請求の範囲】
【請求項１】
眼球内に挿入される眼内レンズ組立体であって、  前記眼球の水晶体嚢の内部に挿入されるリング状からなり、前記水晶体嚢に接触する外周面（１１）は、前記水晶体嚢の前面部に接触する第１前面接触部（１１ａ）と、前記水晶体嚢の後面部に接触する第１後面接触部（１１ｂ）とを含み、前記外周面（１１）に対向する内周面（１２）は、前記第１前面接触部（１１ａ）に対向する第２前面接触部（１２ａ）と、前記第１後面接触部（１１ｂ）に対向する第２後面接触部（１２ｂ）とを含む眼内レンズ支持体（１０）；  前記第２前面接触部（１２ａ）の少なくとも一区間に接触する第３前面接触部（５２ａ）と、前記第２後面接触部（１２ｂ）の少なくとも一区間に接触する第３後面接触部（５２ｂ）と、前記第３前面接触部（５２ａ）と前記第３後面接触部（５２ｂ）との間に備えられ、前記内周面（１２）から離隔する空間を形成する変形促進溝（５２ｃ）とを含む連結手段（５０）；及び  前記連結手段（５０）に連結される眼内レンズ（３０）；を含み、前記眼内レンズ（３０）は、オプティック部（３１）から放射状に突出するハプティック部（３２）が備えられ、  前記連結手段（５０）の内周面には、前記ハプティック部（３２）が固定される溝（５４）が備えられる眼内レンズ組立体。
【請求項２】
前記ハプティック部（３２）の末端には、凸部（３３ｂ）と凹部（３３ａ）が備えられ、前記溝（５４）には、前記凸部（３３ｂ）に対応する断面を有する凹部（５４ａ）と、前記凹部（３３ａ）に対応する断面を有する凸部（５４ｂ）とが備えられる、請求項１に記載の眼内レンズ組立体。
【請求項３】
前記連結手段（５０）は、  リング状をなすリング部（５１）と；  前記リング部（５１）から放射方向に突出し、内周面に前記溝（５４）が備えられた安着部（５３）と；  前記安着部（５３）から前記眼内レンズ支持体（１０）の内周面に密着するように拡張された断面を有するように突出し、赤道付近に前記変形促進溝（５２ｃ）が設けられた拡張部（５２）と；を含む、請求項２に記載の眼内レンズ組立体。
【請求項４】
前記連結手段（５０）の前記変形促進溝（５２ｃ）が開始する地点は、赤道からの直線距離（Ｌ２）が０．９〜１．３ｍｍをなす前記外周面（１１）の一箇所に対向する位置に形成され、前記溝（５４）の底面から前記変形促進溝（５２ｃ）までの間隔（ｄ２）が０．４〜１．１ｍｍをなす、請求項１に記載の眼内レンズ組立体。
【請求項５】
前記眼内レンズ支持体（１０）は、前記第１前面接触部（１１ａ）の一部区間に、運動伝達能力が向上できるように中心部に向かって陥没した複合運動伝達面（２０）が備えられる、請求項１に記載の眼内レンズ組立体。
【請求項６】
前記複合運動伝達面（２０）は正面投影の際に直線断面をなす、請求項５に記載の眼内レンズ組立体。
【請求項７】
前記複合運動伝達面（２０）は正面投影の際に弧状断面をなす、請求項５に記載の眼内レンズ組立体。
【請求項８】
前記眼内レンズ支持体（１０）を前記水晶体嚢に装着した状態で、前記複合運動伝達面（２０）は第２小帯付（７ｂ）の付近に位置する、請求項５に記載の眼内レンズ組立体。
【請求項９】
前記第１前面接触部（１１ａ）に形成される前記複合運動伝達面（２０）は、赤道からの長さ０．９ｍｍ〜１．５ｍｍの区間に位置する、請求項８に記載の眼内レンズ組立体。
【請求項１０】
前記第１後面接触部（１１ｂ）に形成される前記複合運動伝達面（２０）は、赤道からの長さ１．２ｍｍ〜１．９ｍｍの区間に位置する、請求項８に記載の眼内レンズ組立体。
【請求項１１】
前記眼内レンズ支持体の内周面（１２）は、赤道部に向かって陥没した断面形状をなし、  前記内周面（１２）は、  前記赤道部から前記第１前面接触部（１１ａ）の末端に向かって少なくとも一部の区間が弧状をなすように延びる第２前面接触部（１２ａ）と；  前記赤道部から前記第１後面接触部（１１ｂ）の末端に向かって少なくとも一部の区間が弧状をなすように延びる第２後面接触部（１２ｂ）と；を含む、請求項５に記載の眼内レンズ組立体。
【請求項１２】
前記第１前面接触部（１１ａ）、前記第１後面接触部（１１ｂ）、前記第２前面接触部（１２ａ）、前記第２後面接触部（１２ｂ）の各弧は、楕円の一部区間をなし、  このとき、各弧をなす各楕円の短軸は、第１前面接触部（１１ａ）が第１後面接触部（１１ｂ）よりも短く、第２前面接触部（１２ａ）が第２後面接触部（１２ｂ）よりも短く形成される、請求項１１に記載の眼内レンズ組立体。
【請求項１３】
各弧をなす各楕円の短軸は、前記第２後面接触部（１２ｂ）が最も長く、前記第１前面接触部（１１ａ）が最も短く形成される、請求項１２に記載の眼内レンズ組立体。
【請求項１４】
前記第１後面接触部（１１ｂ）の一部区間には、運動伝達能力が向上できるように中心部に向かって陥没した複合運動伝達面（２０）がさらに含まれる、請求項５に記載の眼内レンズ組立体。
【発明の詳細な説明】
【技術分野】
【０００１】
本発明は、眼内レンズ組立体に係り、より詳しくは、眼内レンズ、眼内レンズを支持する連結手段、及び支持体の構造を改善して眼内レンズの位置移動や収縮及び膨張運動性を向上させることができる眼内レンズ組立体に関する。
【背景技術】
【０００２】
水晶体に異常がある眼科的疾病、例えば白内障などの治療方法として、水晶体嚢（Ｃａｐｓｕｌａｒ  ｓａｃ）内部にある水晶体（ｌｅｎｓ）の内容物を除去し、その空間に、人工で製造した眼内レンズ（ｉｎｔｒａｏｃｕｌａｒ  ｌｅｎｓ）を挿入する手術が現在広く行われている。
【０００３】
眼内レンズを挿入する場合、眼内レンズは天然水晶体の代わりに患者に混濁のない視野を提供することできる。しかし、眼内レンズは、いろいろな長所にもかかわらず、挿入後に眼内レンズの挿入された水晶体嚢（Ｃａｐｓｕｌａｒ  ｓａｃ）が術後収縮するという問題点を持つ。
【０００４】
したがって、最近では、眼内レンズの挿入前に水晶体嚢（Ｃａｐｓｕｌａｒ  Ｓａｃ）の赤道領域に水晶体嚢拡張リング（ｃａｐｓｕｌａｒ  ｔｅｎｔｉｏｎ  ｒｉｎｇ）を挿入し、水晶体嚢拡張リング（ｃａｐｓｕｌａｒ  ｔｅｎｔｉｏｎ  ｒｉｎｇ）に眼内レンズを固定させる方法が多く用いられている。
【０００５】
水晶体嚢拡張リング（ｃａｐｓｕｌａｒ  ｔｅｎｔｉｏｎ  ｒｉｎｇ）は、開放または閉鎖された環状体であって、水晶体嚢（Ｃａｐｓｕｌａｒ  Ｓａｃ）の収縮を一部緩和し、水晶体レンズを固定させる方法が漸次用いられている。
【０００６】
水晶体嚢拡張リング（ｃａｐｓｕｌａｒ  ｔｅｎｔｉｏｎ  ｒｉｎｇ）をさらに效率よく利用するために、水晶体嚢拡張リング（ｃａｐｓｕｌａｒ ｔｅｎｔｉｏｎ  ｒｉｎｇ）の挿入を容易にする構造や、後嚢の混濁を防止するための構造などに関する研究が行われている。
【０００７】
ところが、従来の眼内レンズ挿入施術における問題点は、術後、水晶体嚢（Ｃａｐｓｕｌａｒ  Ｓａｃ）の前嚢と後嚢とが互いに付着し合って、毛様小帯（Ｚｏｎｕｌｅ  ｏｆ  Ｚｉｎｎ）の弛緩と収縮を伝達して水晶体の厚さを調節する本来の機能を失ってしまうことである。すなわち、術後、患者の目は見ようとする物体に応じて能動的に３次元運動をして視野を確保するのではなく、眼内レンズで定められる度数によって受動的な視野を確保するという問題点を持つ。以下、このような問題点について、図１乃至図４を参照して説明する。
【０００８】
図１は人間の眼球を示す断面図、図２は天然水晶体の構造を説明するための断面図である。これらの図を参照すると、角膜（Ｃｏｒｎｅａ）１は、目の最も外側にある透明な無血管組織であって、眼球を保護し、水晶体と一緒に光の屈折を担当する。紅彩（Ｉｒｉｓ）２は、目に入射する光の量を調節してカメラの絞りと同様の役割を担当する。また、瞳孔（Ｐｕｐｉｌ）３は、紅彩２の中央に開いている孔であって、明るい光の下では大きさが縮小し、暗い所では大きさが拡大することにより、網膜４に入り込む光の量を調節する。
【０００９】
水晶体（ｌｅｎｓ）５は、凸レンズ状の両面を有し、無血管で無色透明な構造物であって、紅彩２の後ろに位置する。水晶体は、角膜１と一緒に、目に入射する光の屈折を担当する器官である。水晶体の形状は、毛様体筋６及びこれに連結された毛様小帯７の収縮及び弛緩によって変化する。
【００１０】
老眼は、年を取るにつれて水晶体５の硬さが毎年増加し、毛様体筋６が収縮しても水晶体５の形状が変わらなくなった状態である。白内障は、年を取るにつれて水晶体５が混濁になる疾病である。
【００１１】
水晶体５は、水晶体嚢（Ｃａｐｓｕｌａｒ  Ｓａｃ）８内に挿入されている。水晶体嚢（Ｃａｐｓｕｌａｒ  Ｓａｃ）８は、前嚢（ａｎｔｅｒｉｏｒ  ｃａｐｓｕｌｅ）８ａと後嚢（ｐｏｓｔｅｒｉｏｒ  ｃａｐｓｕｌｅ）８ｂからなり、それぞれ水晶体５の前方面５ａと後方面５ｂは赤道Ｅで互いに連結される。各前方面５ａと後方面５ｂは赤道Ｅからの距離によって中央部ａと赤道部ｂに区分される。前方面５ａの中央部ａは後方面５ｂの中央部ａよりも曲率が小さく、前方面５ａの赤道部ｂは後方面５ｂの赤道部ｂよりも曲率が大きいという特徴がある。  
【００１２】
水晶体嚢（Ｃａｐｓｕｌａｒ  Ｓａｃ）８の縁部に沿って毛様小帯７が連結される。毛様小帯７は、毛様体筋６と水晶体嚢８とを連結する一種の繊維組織であって、水晶体嚢８の前嚢８ａと後嚢８ｂとが出会う赤道部の付近に連結される第１小帯７ａと、赤道部の周辺付近に連結される第２小帯７ｂとから構成される。
【００１３】
図３及び図４はそれぞれ遠距離と近距離を注視するときの毛様小帯、水晶体及び水晶体嚢の作用を説明する説明図である。本明細書において、Ｙ軸方向は水晶体の視軸方向、Ｘ軸方向は水晶体の赤道方向をそれぞれ意味する。水晶体５の視軸方向は、瞳孔を介して水晶体５に光が入射する方向であり、水晶体の赤道方向は、視軸方向に対して垂直な方向であって、前嚢と後嚢とが出会う地点を連結する方向である。
【００１４】
遠距離を注視するときには、毛様小帯７のうち、水晶体嚢８の赤道部の中央に連結される第１小帯７ａはぴんと張っており、水晶体嚢８の赤道部の周辺に連結される第２小帯７ｂは緩んでいる。これにより、水晶体嚢８が水晶体５のＸ軸方向に伸び、内部に位置した水晶体５も同じ方向に伸びる。
【００１５】
近距離を注視するときには、毛様小帯７のうち、水晶体嚢８の赤道部の中央に連結される第１小帯７ａは緩んでおり、水晶体嚢８の赤道部の周辺に連結される第２小帯７ｂはぴんと張っている。これにより、水晶体嚢８が水晶体５のＹ軸方向に膨らみ、内部に位置した水晶体５も同じ方向に伸びる。上述したように、天然水晶体を内部に持つ水晶体嚢８は、毛様小帯７に連結され、能動的に天然水晶体の形状を変形させることに関与するが、従来の技術に係る眼内レンズ及び水晶体嚢拡張リングを使用する場合、水晶体嚢８は収縮してその機能を実質的に失ってしまう。
【００１６】
毛様小帯７に連結されて水晶体５の形状変化に関与する毛様体筋６は、死亡時まで疲れずに機能を維持する内眼筋であって、人為的に消滅させる従来方式の改善が求められる。
【００１７】
また、眼内レンズを施術した場合、支持する毛様小帯７の運動により発生する力が眼内レンズに正確に伝達され、眼内レンズの能力を向上させることができるようにする眼内レンズ組立体の構造改善が求められる。
【発明の概要】
【発明が解決しようとする課題】
【００１８】
本発明は、上述した問題点に鑑みてなされたもので、その目的は、毛様小帯によって加えられる力を眼内レンズに伝達させる運動伝達能力が向上した眼内レンズ組立体を提供することにある。
【００１９】
本発明の他の目的は、毛様小帯の運動が眼内レンズに効率よく伝達できるようにして眼内レンズの機能を向上させることができる眼内レンズ組立体を提供することにある。
【００２０】
本発明の別の目的は、連結手段及び眼内レンズ結合部の構造を改善して毛様小帯の運動の複合運動が眼内レンズに正確に伝達できるようにする眼内レンズ組立体を提供することにある。  
【課題を解決するための手段】
【００２１】
上記の目的を達成するための本発明の眼内レンズ組立体は、眼球内に挿入される眼内レンズ組立体であって、前記眼球の水晶体嚢の内部に挿入されるリング状からなり、前記水晶体嚢に接触する外周面は、前記水晶体嚢の前面部に接触する第１前面接触部と、前記水晶体嚢の後面部に接触する第１後面接触部とを含み、前記外周面に対向する内周面は、前記第１前面接触部に対向する第２前面接触部と、前記第１後面接触部に対向する第２後面接触部とを含む眼内レンズ支持体；前記第２前面接触部の少なくとも一区間に接触する第３前面接触部と、前記第２後面接触部の少なくとも一区間に接触する第３後面接触部と、前記第３前面接触部と前記第３後面接触部との間に備えられ、前記内周面から離隔する空間を形成する変形促進溝とを含む連結手段；及び前記連結手段に連結される眼内レンズ；
を含み、前記眼内レンズは、オプティック部から放射状に突出するハプティック部が備えられ、前記連結手段の内周面には、前記ハプティック部が固定される溝が備えられる。
【００２２】
また、より好ましくは、前記ハプティック部の末端には凸部と凹部が備えられ、前記溝には、前記凸部に対応する断面を有する凹部と、前記凹部に対応する断面を有する凸部とが備えられる。
【００２３】
また、より好ましくは、前記連結手段は、リング状をなすリング部と；前記リング部から放射方向に突出し、内周面に前記溝が備えられた安着部と；前記安着部から前記眼内レンズ支持体の内周面に密着するように拡張された断面を有するように突出し、赤道付近に前記変形促進溝が設けられた拡張部と；を含む。
【００２４】
また、より好ましくは、前記連結手段の前記変形促進溝が開始する地点は、赤道からの直線距離（Ｌ２）が０．９〜１．３ｍｍをなす前記外周面の一箇所に対向する位置に形成され、前記溝の底面から前記変形促進溝までの間隔が０．４〜１．１ｍｍをなす。
【００２５】
また、より好ましくは、前記眼内レンズ支持体は、前記第１前面接触部の一部区間に、運動伝達能力が向上できるように中心部に向かって陥没した複合運動伝達面が備えられる。
【００２６】
また、より好ましくは、前記複合運動伝達面は、正面投影の際に直線断面をなす。
【００２７】
また、より好ましくは、前記複合運動伝達面は、正面投影の際に弧状断面をなす。
【００２８】
また、より好ましくは、前記眼内レンズ支持体を前記水晶体嚢に装着した状態で、前記複合運動伝達面は、毛様小帯をなす第２小帯付近に位置する。
【００２９】
また、より好ましくは、前記第１前面接触部に形成される前記複合運動伝達面は、赤道からの長さ０．９ｍｍ〜１．５ｍｍの区間に位置する。
【００３０】
また、より好ましくは、前記第１後面接触部に形成される前記複合運動伝達面は、赤道からの長さ１．２ｍｍ〜１．９ｍｍの区間に位置する。
【００３１】
また、より好ましくは、前記眼内レンズ支持体の内周面は、赤道部に向かって陥没した断面形状をなし、前記内周面は、前記赤道部から前記第１前面接触部の末端に向かって少なくとも一部の区間が弧状をなすように延びる第２前面接触部と；前記赤道部から前記第１後面接触部の末端に向かって少なくとも一部の区間が弧状をなすように延びる第２後面接触部と；を含む。
【００３２】
また、より好ましくは、前記第１前面接触部、前記第１後面接触部、前記第２前面接触部、前記第２後面接触部の各弧は、楕円の一部区間をなし、このとき、各弧をなす各楕円の短軸は、第１前面接触部が第１後面接触部よりも短く、第２前面接触部が第２後面接触部よりも短く形成される。
【００３３】
また、より好ましくは、各弧をなす各楕円の短軸は前記第２後面接触部が最も長く、前記第１前面接触部が最も短く形成される。
【００３４】
また、より好ましくは、前記第１後面接触部の一部区間には、運動伝達能力が向上できるように中心部に向かって陥没した複合運動伝達面がさらに含まれる。
【発明の効果】
【００３５】
上述した本発明に係る眼内レンズ組立体は、毛様体筋から発生して、毛様小帯及び水晶体嚢（Ｃａｐｓｕｌａｒ  Ｓａｃ）を介して伝達される力による複合運動が眼内レンズに円滑に伝達されるので、眼内レンズの能力が向上するという効果がある。
【００３６】
また、本発明に係る眼内レンズ組立体は、白内障、老眼、高度近視などを治療するための眼内レンズ挿入手術に適用でき、同時にレーシック手術やＩＣＬ（Ｉｍｐｌａｎｔａｂｌｅ  Ｃｏｎｔａｃｔ  Ｌｅｎｓ）手術の代替効果も期待される。
【００３７】
また、本発明に係る眼内レンズ組立体は、眼内レンズ支持体の外周面に凹設された複合運動伝達面を備え、連結手段及び眼内レンズ連結部分の構造を改善することにより、毛様小帯のＸ軸、Ｙ軸及びＺ軸方向への運動まで含むねじれなどの複合運動が眼内レンズに正確に伝達されて眼内レンズの機能が向上するという効果がある。
【図面の簡単な説明】
【００３８】
【図１】人間の眼球を示す断面図である。
【図２】天然水晶体の構造を説明する断面図である。
【図３】遠距離を注視する場合の毛樣小帶、水晶体の相互作用及び運動状態を示す状態図である。
【図４】近距離を注視する場合の毛樣小帶、水晶体の相互作用及び運動状態を示す状態図である。
【図５】本発明の好適な一実施例に係る眼内レンズが装着された眼内レンズ組立体を示す斜視図である。
【図６】図５に示された眼内レンズ組立体を示す平面図である。
【図７】図５に示された眼内レンズ組立体を示す断面図である。
【図８】図５に示された眼内レンズ組立体が組み立てられた状態を示す断面図である。
【図９】図５に示された眼内レンズを示す斜視図である。
【図１０】図５に示された連結手段を示す斜視図である。
【図１１】図５に示された眼内レンズ結合部を示す断面図である。
【図１２】本発明の好適な一実施例に係る眼内レンズ組立体が装着された状態で遠距離を注視する場合の毛様小帯、水晶体、眼内レンズ組立体の相互作用及び運動状態を示す状態図である。
【図１３】本発明の好適な一実施例に係る眼内レンズ組立体が装着された状態で近距離を注視する場合の毛様小帯、水晶体、眼内レンズ組立体の相互作用及び運動状態を示す状態図である。
【図１４】本発明の別の実施例に係る眼内レンズ支持体を示す断面図である。
【図１５】本発明の別の実施例に係る連結手段を示す断面図である。
【発明を実施するための形態】
【００３９】
以下、添付図面を参照して、本発明の好適な一実施例に係る眼内レンズ組立体をより詳細に説明する。従来の構造と同様の部分については同一の符号を付し、それについての詳細な説明は図１乃至図４を引用する。
【００４０】
ここで、１）添付図面に示された形状、大きさ、比率、角度、個数などは、概略的なものであって、多少変更できる。２）図面は観察者の視線で示されるため、図面を説明する方向や位置は観察者の位置に応じて多様に変更できる。３）図面番号が異なっても、同じ部分については同一の図面符号が使用できる。４）「含む」、「有する」、「からなる」
などが使用される場合、「〜のみ」が使用されない限り、他の部分が追加できる。５）単数で説明される場合、多数とも解釈できる。６）形状、大きさの比較、位置関係などが「約」、「、実質的」などで説明されなくても、通常の誤差範囲が含まれるように解釈される。７）「〜後」、「〜前」、「続いて」、「後続の」、「このとき」などの用語が使用されても、時間的位置を限定する意味では使用されない。８）「第１」、「第２」、「第３」などの用語は、単に区分の便宜のために選択的、交換的または反復的に使用され、限定的な意味で解釈されない。９）「〜上に」、「〜上部に」、「〜下部に」、「〜隣に」、「〜側面に」などで二つの部分の位置関係が説明される場合、「直ちに」が使用されない限り、二つの部分の間に一つ以上の別の部分が位置してもよい。１０）部分が「〜または」で電気的に接続される場合、部分単独だけでなく、組み合わせも含まれるように解釈されるが、「〜または」、「〜のいずれか」で電気的に接続される場合、部分単独のみと解釈される。
【００４１】
図５は本発明の好適な一実施例に係る眼内レンズが装着された眼内レンズ組立体を示す斜視図、図６は図５に示された眼内レンズ組立体を示す平面図、図７は図５に示された眼内レンズ組立体を示す断面図、図８は図５に示された眼内レンズ組立体が組み立てられた状態を示す断面図、図９は図５に示された眼内レンズを示す斜視図、図１０は図５に示された連結手段を示す斜視図、図１１は図５に示された眼内レンズの結合部を示す断面図、図１２は本発明の好適な一実施例に係る眼内レンズ組立体が装着された状態で遠距離を注視する場合の毛様小帯、水晶体、眼内レンズ組立体の相互作用及び運動状態を示す状態図、図１３は本発明の好適な一実施例に係る眼内レンズ組立体が装着された状態で近距離を注視する場合の毛様小帯、水晶体、眼内レンズ組立体の相互作用及び運動状態を示す状態図、図１４は本発明の別の実施例に係る眼内レンズ支持体を示す断面図、図１５は本発明の別の実施例に係る連結手段を示す断面図である。
【００４２】
図５乃至図８に示すように、本発明の好適な一実施例に係る眼内レンズ支持体１０が装着された眼内レンズ組立体は、眼内レンズ３０と、眼内レンズ３０を取り囲む眼内レンズ支持体１０と、眼内レンズ３０を眼内レンズ支持体１０に固定させる連結手段５０とから構成される。連結手段５０は、眼内レンズ３０を内部に収容し、眼内レンズ支持体１０の内部に挿入固定される構造物からなる。
【００４３】
眼内レンズ支持体１０は、水晶体嚢の内部に挿入されるリング状をする。閉鎖されたリング状をなすことが好ましいが、一側が開口されたリング状をしても構わない。
【００４４】
眼内レンズ支持体１０は、毛様小帯の動きに応じる形状変形能力が大きくなることができるように、外周面１１と内周面１２をなす材質を部位別に異なるように形成してもよい。
【００４５】
外周面１１の全長は、内周面１２の全長よりも長く形成され、赤道部Ｅの厚さが最も厚く形成され、両端に行くほどその厚さが益々薄くなることが好ましい。
【００４６】
眼内レンズ支持体１０の直径は、水晶体嚢８の内面の直径とほぼ同一である。水晶体嚢８の直径は人によって異なる。通常、直径は９ｍｍ〜１３ｍｍである。眼内レンズ支持体１０の赤道部の直径は患者水晶体の赤道部内面の直径と同じであることが好ましい。
【００４７】
眼内レンズ支持体１０または眼内レンズ３０の材質は、シリコーン（Ｓｉｌｉｃｏｎｅ）、シリコーンエラストマ（Ｓｉｌｉｃｏｎｅ  ｅｌａｓｔｏｍｅｒ）、シリコーンポリマー（Ｓｉｌｉｃｏｎｅ  ｐｏｌｙｍｅｒ）、ポリジメチルシロキサン（Ｐｏｌｙｄｉｍｅｔｈｙｌ  ｓｉｌｏｘａｎｅ）、ポリプロピレン（Ｐｏｌｙｐｒｏｐｙｌｅｎｅ）、ポリイミド（Ｐｏｌｙｉｍｉｄｅ）、ポリブテステル（Ｐｏｌｙｂｕｔｅｓｔｅｒ）、ＰＭＭＡ（ｐｏｌｙｍｅｔｈｙｌ  ｍｅｔｈａｃｒｙｌａｔｅ）、マイクロプレックスＰＭＭＡ（Ｍｉｃｒｏｐｌｅｘ  ＰＭＭＡ）、ＣＱ−ＵＶ  ＰＭＭＡ、アクリル樹脂（Ａｃｒｙｌｉｃ）、硬性アクリル（Ｒｉｇｉｄ  ａｃｒｙｌｉｃ）、フレキシブルアクリル（Ｆｌｅｘｉｂｌｅ  ａｃｒｙｌｉｃ）、アクリルプラスチック（Ａｃｒｙｌａｔｅ  ｐｌａｓｔｉｃ）、疎水性アクリル（Ｈｙｄｒｏｐｈｏｂｉｃ  ａｃｒｙｌｉｃ）、親水性アクリル（Ｈｙｄｒｏｐｈｉｌｉｃ  ａｃｒｙｌｉｃ）、親水性アクリル高分子（Ｈｙｄｒｏｐｈｉｌｉｃ  ａｃｒｙｌｉｃ  ｐｏｌｙｍｅｒ）、紫外線吸収アクリレート（ＵＶ  ａｂｓｏｒｂｉｎｇ  ａｃｒｙｌａｔｅ）、メタクリレートコポリマー（Ｍｅｔｈａｃｒｙｌａｔｅ  ｃｏｐｏｌｙｍｅｒ）、ブチルアクリレート（ｂｕｔｙｌ  ａｃｒｙｌａｔｅ）、ポリシロキサンエラストマー（Ｐｏｌｙｓｉｌｏｘａｎｅ  ｅｌａｓｔｏｍｅｒ）、紫外線吸収ポリシロキサン（ＵＶ ａｂｓｏｒｂｉｎｇ  ｐｏｌｙｓｉｌｏｘａｎｅ）、コラーゲンコポリマー（Ｃｏｌｌａｇｅｎ  ｃｏｐｏｌｙｍｅｒ）、金（Ｇｏｌｄ）、ヒドロゲル（Ｈｙｄｒｏｇｅｌ）、ＨＥＭＡ（２−ｈｙｄｒｏｘｙｅｔｈｙｌ  ｍｅｔｈａｃｒｙｌａｔｅ）、ＭＭＡ（ｍｅｔｈｙｌ  ｍｅｔｈａｃｒｙｌａｔｅ）、ＣＡＢ（ｃｅｌｌｕｌｏｓｅ  ａｃｅｔａｔｅ  ｂｕｔｙｌａｔｅ）、２−ＨＥＭＡ（２−ｈｙｄｒｏｘｙ  ｅｔｈｙｌ  ｍｅｔｈａｃｒｙｌａｔｅ）、ＮＶＰ（ｎ−ｖｉｎｙｌ  ｐｙｒｒｏｌｉｄｏｎｅ）、ＰＶＰ（ｐｏｌｙｖｉｎｙｌ ｐｙｒｒｏｌｉｄｏｎｅ）、ＭＡ（ｍｅｔｈａｃｒｙｌｉｃ  ａｃｉｄ）、ＧＭＡ（ｇｌｙｃｅｒｏｌ  ｍｅｔｈａｃｒｙｌａｔｅ）、ＤＭＳ（ｄｉｍｅｔｈｙｌ  ｓｉｌｏｘａｎｅ）、ＰＨＥＭＡ（ｐｏｌｙｈｙｄｒｏｘｙｅｔｈｙｌ  ｍｅｔｈａｃｒｙｌａｔｅ）、ＰＥＧＭＭＡ（ｐｏｌｙｅｔｈｙｌｅｎｅｈｌｙｃｏｌ  ｍｅｔｈａｃｒｙｌａｔｅ）、ポリＨＥＭＡヒドロゲル（Ｐｏｌｙ  ＨＥＭＡ  ｈｙｄｒｏｇｅｌ）、紫外線吸収ポリＨＥＭＡヒドロゲル（Ｐｏｌｙ  ＨＥＭＡ  ｈｙｄｒｏｇｅｌ  ｗｉｔｈ  ＵＶ  ａｂｓｏｒｐｔｉｏｎ）、シリコーンヒドロゲル（Ｓｉｌｉｃｏｎｅ  ｈｙｄｒｏｇｅｌｓ）、ＧＭＡ／ＨＥＭＡ、ＨＥＭＡ／ＰＶＰ／ＭＡ、ＰＶＡ、ＨＥＭＡ／ＰＶＡ／ＭＡ、ＨＥＭＡ／ＰＶＡ／ＭＭＡ、ＨＥＭＡ／ＭＭＡ、ＨＥＭＡ／ＮＶＰ、ＨＥＭＡ／ＮＶＰ／ＭＡ、ＨＥＭＡ／ＮＶＰ／ＭＭＡ、ＨＥＭＡ／Ａｃｒｙｌ、及びＨＥＭＡ／ＰＣなどのうちの少なくも一つが使用できる。
【００４８】
図７に示すように、外周面１１は、水晶体嚢８の内面に少なくとも一箇所で接する面である。外周面１１は、凸状に突出する末端である赤道（Ｅ）の線上を基準に、一側方向に向かって凸状に突出し、少なくとも一部の区間が弧状をなす第１前面接触部１１ａと、他側方向に向かって凸状に突出し、少なくとも一部の区間が弧状をなす第１後面接触部１１ｂとからなる。水晶体の視軸方向（Ｙ方向）の正面投影の際に切断された断面において、第１前面接触部１１ａは、第１後面接触部１１ｂよりも大きい曲率を有する。これは、外周面１１の正面投影の際に切断された断面が天然水晶体レンズの赤道部の断面形状と同様に形成されるようにするためであるが、前述したように、水晶体中央部の前方面は後方面よりも小さい曲率を持っているものの、赤道部に接近しながら曲率が変わる形状を持つためである。
【００４９】
より好ましくは、外周面１１は、施術患者固有の水晶体の断面形状と同様に形成される。術前に、患者の水晶体の断面形状は超音波画像、ＣＴ及びＭＲＩなどで撮影することができ、外周面１１の断面形状は瞳孔の散瞳・縮瞳の中間程度の断面形状または瞳孔サイズ３〜４ｍｍの水晶体の断面形状と一致する形状を有することができる。よって、外周面１１の形状は水晶体嚢８の赤道部の内面のそれと互いに一致する。
【００５０】
図７に示すように、正面投影の際に切断される断面において、外周面１１は、水晶体嚢８の外面に、前方側の第２小帯７ｂから後方側の第２小帯７ｂまでの長さの３／４〜３倍に相当する長さで形成されることが好ましい。第２小帯７ｂ間の間隔の３／４倍よりも小さく形成する場合には、毛様小帯の動きに応じて伝達される力を眼内レンズ３０に効率よく伝達しなくなり、３倍を超えて形成する場合には、眼内レンズ３０のオプティック部を隠す。このような倍率で構成した場合、外周面１１の全長は２ｍｍ〜８ｍｍである。
【００５１】
図７に示すように、正面投影の際に切断される断面において、赤道Ｅから第１前面接触部１１ａの終点までの延長長さｄ１及び赤道Ｅから第１後面接触部１１ｂの終点までの延長長さｄ２は、通常、１ｍｍ乃至４．２ｍｍであり得る。４．２ｍｍを超える場合には、手術の際に挿入に困難さが発生し、オプティック部があまり小さくなるという問題点がある。１ｍｍ未満の場合には、眼内レンズ支持体が毛様小帯の第２小帯７ｂが水晶体嚢８に連結される地点よりも内側に備えられ、毛様体筋から誘導された毛様小帯の動きに応じて伝達される力を眼内レンズ３０に正確に伝達しなくなり、眼内レンズ３０の運動や変形が十分に行われないことがある。
【００５２】
赤道Ｅからの延長長さｄ１と延長長さｄ２とは同一でも異なってもよい。好ましくは、延長長さｄ２が延長長さｄ１の長さよりも長く形成される。
【００５３】
外周面１１は、その断面が放射状方向に凸状に突出した形状をする。眼内レンズ支持体１０が水晶体嚢８にさらに安定的に装着できるように、その表面粗さを他の面よりも高くしたり、別途の装着材を使用したりすることができる。装着材としては、ティッシュグルー（Ｔｉｓｓｉｅ  Ｇｌｕｅ）やグルー（Ｇｌｕｅ）が使用される。
【００５４】
内周面１２は、赤道部に向かって陥没した断面形状をなす。内周面１２は、赤道Ｅ部から第１前面接触部１１ａの末端に向かって少なくとも一部の区間が弧状をなすように延長される第２前面接触部１２ａと、赤道Ｅ部から第１後面接触部１１ｂの末端に向かって少なくとも一部の区間が弧状をなすように延長される第２後面接触部１２ｂとから構成される。内周面１２は、連結手段５０が結合される面である。
【００５５】
内周面１２の全体延長長さｄ４は、外周面の全体延長長さｄ３と同じかそれより小さく形成される。延長長さｄ４を延長長さｄ３と同じかそれより小さく形成することは、毛様小帯から外周面１１に加わる力を内周面１２へ伝達するときに増幅または維持させるためである。
【００５６】
延長長さｄ４を延長長さｄ３よりも小さくすると、外周面１１の動きに応じてより多くの動きと変形が誘導される。外周面１１に毛様小帯からＦ１の力が加えられる場合に、内周面１２に伝達される力が「Ｆ２＝ｋ＊Ｆ１、ｋ≧１」となるためである。このとき、ｋは延長長さｄ３と延長長さｄ４の長さの比率に基づいて決定される定数である。ｄ３とｄ４の長さの比率は患者の毛様小帯の能力に応じて変わり得る。おおよそｄ４の長さはｄ３の長さの０．４〜１倍であることが好ましい。
【００５７】
また、第１前面接触部１１ａ、第１後面接触部１１ｂ、後述する第２前面接触部１２ａ、第２後面接触部１２ｂの各弧は、楕円の一部区間として形成されることもできる。
【００５８】
このとき、各楕円を同じ中心軸に位置させると、長手方向の頂点が同じ位置に位置するように倍率を調整すれば、各弧をなす各楕円の短軸は、第１前面接触部１１ａが第１後面接触部１１ｂよりも短く、第２前面接触部１２ａが第２後面接触部１２ｂよりも短く形成される。各弧をなす各楕円の短軸のうち、第２後面接触部１２ｂをなす楕円の短軸が最も長く、第１前面接触部１１ａをなす短軸が最も短く形成される。
【００５９】
図７及び図８に示すように、眼内レンズ支持体１０の外周面１１には複合運動伝達面２０が備えられる。複合運動伝達面２０は、第１前面接触部１１ａと第１後面接触部１１ｂの一部区間に形成され、毛様小帯の運動（特に第２小帯の運動）を眼内レンズ３０に伝達させる運動伝達能力が向上し得るように中心部に向かって陥没した形態をなす。複合運動伝達面２０は、正面投影の際に弧状の断面をなすことが好ましい。本発明の別の実施例に係る眼内レンズ支持体１０は、図１４に示すように、複合運動伝達面が正面投影の際に直線断面をなすように構成されることも可能である。また、弧状をなすか直線断面形状をなす複合運動伝達面２０は、それぞれ毛様小帯をなす第２小帯７ｂの付近に位置することが好ましい。しかし、複合運動伝達面２０の位置は、第２小帯７ｂの付近にのみ限定せずに、第１小帯７ａと第２小帯７ｂとの間のどの位置に形成されても構わず、この状態で第２小帯７ｂと一部分でも重なるように形成されることが好ましい。複合運動伝達面２０が形成される眼内レンズ支持体１０は、複合運動伝達面２０が陥設され、末端に行くほど益々その断面が縮小される構造で形成されてもよい。
【００６０】
第１前面接触部１１ａに形成される複合運動伝達面２０は、赤道Ｅ地点からの０．９ｍｍ〜１．５ｍｍの地点に位置することが好ましい。すなわち、赤道Ｅ地点から複合運動伝達面２０の開始点２１までの距離は０．９ｍｍをなし、赤道Ｅ地点から複合運動伝達面２０の終点２２までの距離は１．５ｍｍをなすことが好ましい。
【００６１】
第１後面接触部１１ｂに形成される複合運動伝達面２０は、赤道Ｅ地点からの１．２ｍｍ〜１．９ｍｍの地点に位置することが好ましい。すなわち、赤道Ｅ地点から複合運動伝達面２０の開始点２３までの距離は１．２ｍｍをなし、赤道Ｅ地点から複合運動伝達面２０の終点２４までの距離は１．９ｍｍをなすことが好ましい。
【００６２】
また、複合運動伝達面２０は、全体的に凸状をなす外周面において一部分が陥没した形状をなすように構成することにより、Ｘ軸やＹ軸のいずれか一方向にのみ力が作用せず、かつＸ軸、Ｙ軸、Ｚ軸の三軸方向に複合的に作用する毛様小帯の運動が連結手段５０と眼内レンズ３０に効率よく伝達できるようにする役割を果たすのである。このような複合運動伝達面２０を介して、眼内レンズ３０は移動または体積変化がさらに細かく作動できるのである。すなわち、毛様小帯の運動による微妙な動きやねじれなどの複合運動を伝達する力が複合運動伝達面２０を介して連結手段５０と眼内レンズ３０に効果的に伝達されるのである。また、複合運動伝達面２０は、複合運動伝達面２０が形成された地点の厚さが周辺部よりも薄く形成される構造的特徴により、毛様小帯の運動によってさらに柔らかく変形が発生するおそれがあり、これにより、毛様小帯の力や変形をより容易に連結手段５０と眼内レンズ３０に伝達させる役割も果たす。
【００６３】
図５、図６及び図８に示すように、眼内レンズ３０は連結手段５０を介して眼内レンズ支持体１０に固定される。眼内レンズ３０は、眼内レンズ支持体１０の内周面１２と連結手段５０とが接触した状態を維持し、眼内レンズ３０のハプティック部３２が連結手段５０の内周面の溝５４に固定される。眼内レンズ３０は連結手段５０のリング状の内部に位置し、連結手段５０は眼内レンズ支持体１０のリング状の内部に位置する。
【００６４】
眼内レンズ３０は、瞳孔の後方に位置するオプティック部３１と、オプティック部３１から放射状に突出して連結手段５０の内周面に固定されるハプティック部３２とから構成される。眼内レンズ３０のオプティック部３１は、水晶体嚢の内部に挿入される人工水晶体レンズであって、ハードレンズのうちの瞳孔の後方に位置する天然水晶体のレンズの役割を果たす部分であって、主に凸レンズ形状（但し、一部の超高度近視患者では凹レンズ形状）を有する。
【００６５】
眼内レンズ３０は、多様な形態で製作でき、特定の形態に限定されない。ハプティック部３２は、オプティック部３１の周面から放射状に突出する多数の枝形状をなす。好ましくは、１２０度の間隔を置いて三つが形成できる。また、また、ハプティック部３２の末端は、リング状に互いに連結される支持台がさらに構成されてもよい。ハプティック部３２の末端を互いに連結するリング状をなす支持台が形成されると、毛様小帯の運動を伝達する力が支持台とハプティック部３２を介して眼内レンズ３０にさらに効果的に伝達できる。
【００６６】
図９に示すように、ハプティック部３２は、眼球内に装着された状態で瞳孔の反対方向に傾くように突出する。ハプティック部３２は、オプティック部３１の周面から突出した長さよりも突出幅が大きく形成されることが好ましい。突出した長さよりも突出幅が小さい場合、３軸方向に作用するねじれなどの力が正確に伝達できないので、突出する長さよりも幅が大きく形成されることは、運動伝達性能の向上において重要な要素である。また、ハプティック部３２は、突出するほどその幅が増加することが好ましい。ハプティック部３２の末端には、オプティック部３１と平行をなすように突出した固定部３３が備えられる。固定部３３は、オプティック部３１の平面を基準に、瞳孔の反対方向に傾くように突出する構造で構成され、少ない力でも瞳孔の方向に向かって位置移動が円滑に行われる。固定部３３は、突出する末端に多数の凹部３３ａと凸部３３ｂが順次備えられる。図９に示すように、中央領域に凹部３３ａを基準に両側にそれぞれ凸部３３ｂが備えられることが好ましい。凸部３３ｂに接触する両側面部３３ｃはラウンド形状をなす。図示してはいないが、側面部３３ｃにも凹部と凸部が形成できる。凹部３３ａと凸部３３ｂを有する固定部３３がハプティック部３２の末端に備えられることにより、Ｘ軸、Ｙ軸だけでなく、Ｚ軸にも作用する力を伝達する運動伝達能力が向上するのである。すなわち、凹部３３ｂ及び凸部３３ａが備えられていない場合には、固定部３３と溝５４とが接触する地点で滑りなどが発生して力の損失が発生するおそれがあるが、凹部３３ａ及び凸部３３ｂが備えられることにより、滑りを防止して運動伝達能力を向上させるのである。
【００６７】
連結手段５０は、リング状をなすリング部５１と、リング部５１から放射方向に突出する安着部５３と、安着部５３から眼内支持体１０の内周面１２に密着するように拡張された断面を持つように突出した拡張部５２とから構成される。リング部５１の内側に眼内レンズ３０が位置するように組み立てられる。拡張部５２の内側には、固定部３３の挿入される溝５４が備えられる。溝５４は固定部３３の外周面の形状に対応する内側面を有する。すなわち、溝５４は、固定部３３の側面部３３ｃが密着する側面部５４ｃと、凸部３３ｂが密着する凹部５４ａと、凹部３３ａが密着する凸部５４ｂとから構成される。前述したように、固定部３３と溝５４とが互いに対応する形状に凹凸が備えられて密着する構造で構成され、互いに滑りが防止される構造で構成されることにより、運動伝達能力が向上するのである。
【００６８】
拡張部５２は、内周面１２の第２前面接触部１２ａに対応する断面を有する第３前面接触部５２ａと、内周面１２の第2前面接触部１２ｂに対応する断面を有する第３後面接触部５２ｂとから構成され、第３前面接触部５２ａと第３後面接触部５２ｂとが接する中央領域には、所定の深さに陥没する変形促進溝５２ｃが備えられる。安着部５３の上下面は、拡張部５２の両端に向かってラウンドをなす断面形状に連結される。眼内レンズ支持体１０の内周面１２は、拡張部５２の周面に密着しながら運動伝達能力が向上するのである。
【００６９】
図８に示すように、変形促進溝５２ｃは、赤道を基準に前面部側の曲率と後面部側の曲率とが互いに同一となるように形成されてもよく、第３前面接触部５２ａの曲率と第３後面接触部５２ｂの曲率とが互いに異なるように形成されてもよい。変形促進溝５２ｃの前面部側の曲率と後面部側の曲率とが互いに異なるように形成される構造は、第１前面接触部１１ａの曲率と第１後面接触部１１ｂの曲率とが互いに異なるように形成される構造と類似している。
【００７０】
変形促進溝５２ｃは、図８に示すように、中心部に向かって陥没した形状に構成されてもよく、外周面に向かって突出した形状に構成されてもよい。赤道Ｅを基準に、変形促進溝５２ｃが開始する地点は、赤道Ｅにおいて毛様小帯７をなす第2小帯７ｂが形成される地点と同一線上に位置する。すなわち、外周面１１の線上において、赤道からの直線距離Ｌ２が１．１ｍｍをなす地点と対向する地点が、変形促進溝５２ｃの開始地点をなすことが最も好ましいが、このとき、直線距離Ｌ２は直径Ｌ１の大きさに応じて１．１±０．２ｍｍの大きさを有することができる。変形促進溝５２ｃによって連結手段５０の変形量が増加して眼内レンズ支持体１０に伝達された毛様小帯の力を眼内レンズ３０にさらに効果的に伝達させることができる。すなわち、図１２及び図１３に示すように、変形促進溝５２ｃによって、連結手段５０はＸ軸方向への圧縮変形とＹ軸方向への膨張変形が円滑に行われ得るのである。すなわち、変形促進溝５２ｃにより生成される空間によって連結手段５０の拡張部５２が容易に変形できるのである。
【００７１】
また、連結手段５０の内側面に凹設される溝５４の深さｄ１は略０．５５ｍｍからなることが好ましいが、溝５４の深さは直径Ｌ１のサイズに応じて０．５５±０．２ｍｍのサイズを有することができる。
【００７２】
また、溝５４の底面から変形促進溝５２ｃまでの間隔ｄ２は、直径Ｌ１の大きさに応じて０．４〜１．１ｍｍのサイズを有することができる。
【００７３】
連結手段５０の直径が変更されても、深さｄ１と直線距離Ｌ２はその長さを確保しなければならない。したがって、変形促進溝５２ｃは、図８に示すように中心部に向かって陥没した形状からなってもよく、図１５に示すように外周面に向かって突出した形状からなってもよい。一例を挙げて、変形促進溝５２ｃの曲率は、連結手段５０の直径Ｌ１が９．８ｍｍである場合、ほぼ直線に近い形状をなす。連結手段５０の直径Ｌ１が９．８ｍｍ以上である場合には、変形促進溝５２ｃが図８に示すように中心部に向かって陥没した形態をなし、連結手段５０の直径Ｌ１が９．８ｍｍ以下である場合には、変形促進溝５２ｃが図１５に示すように直線形状を基準に外周面に向かって突出した形態をなす。これは、直線距離Ｌ２と深さｄ１をそれぞれ略１．１ｍｍと０．５５ｍｍに維持するために、変形促進溝５２ｃが中心部に向かって凹状に形成されるか、変形促進溝５２ｃが外周面に向かって凸状に形成されるかが決定される。これは、間隔ｄ２が小さすぎると、損傷が発生するおそれがあり、間隔ｄ２が大きすぎると、変形が円滑に行われないおそれがあるからである。また、図１５に示すように、変形促進溝５２ｃが形成された連結手段５０を使用する場合、複合運動伝達面２０が形成されていない眼内レンズ支持体１０と結合しても、変形促進溝５２ｃによって毛様小帯の運動が眼内レンズ支持体１０と連結手段５０を介して眼内レンズ３０によく伝達できる。同様に、複合運動伝達面２０の形成されている眼内レンズ支持体１０と変形促進溝５２ｃの形成されていない連結手段5０とが結合されても、複合運動伝達面２０によって毛様小帯の運動が眼内レンズ支持体１０と連結手段５０を介して眼内レンズ３０によく伝達できる。好ましくは、複合運動伝達面２０の備えられた眼内レンズ支持体１０と変形促進溝５２ｃの備えられた連結手段５０とが組み合わせをなすことが、毛様小帯の運動を眼内レンズ３０に最もよく伝達させる。
【００７４】
変形促進溝５２ｃにより発生する連結手段５０と眼内レンズ支持体１０との間の隙間には、眼球内に存在する房水（毛様体が生産する目の中の涙）が満たされる。
【００７５】
前述のように構成された本発明の好適な一実施例に係る眼内レンズ組立体が作動する過程は、次の通りである。
【００７６】
図１２に示すように、遠距離を注視するとき、水晶体嚢８の第１小帯７ａはぴんと張っており、第２小帯７ｂは緩んでいる。これにより、水晶体嚢８の赤道部がＸ方向に伸びる力を受けることになり、水晶体嚢８の内部に位置した弾性を持つ眼内レンズ３０も同じ方向に伸びながら、その厚さが薄くなるか、位置移動が発生する。このとき、毛様小帯７により加えられる力は、Ｘ軸の一方向にのみ作用するのではなく、実質的にＸ、Ｙ、Ｚの三軸方向のベクトルが組み合わせられた複合運動をなし、このような複合運動（ねじれを含む）は、複合運動伝達面２０を介してさらに効率よく連結手段５０の拡張部５２に伝達される。このとき、連結手段５０に形成された変形促進溝５２ｃによって、連結手段５０は複合運動による変形量が増加する。そして、複合運動（ねじれを含む）は、再び溝５４、固定部３３及びハプティック部３２を経て眼内レンズ３０のオプティック部３１に伝達される。このとき、複合運動伝達面２０の役割、変形促進溝５２ｃの役割、内周面１２及び拡張部５２の役割、並びに溝５４及び固定部３３の役割は、前述したとおりである。
【００７７】
図１３に示すように、近距離を注視するとき、水晶体嚢８の第１小帯７ａは緩んでおり、第２小帯７ｂはぴんと張っている。これにより、水晶体嚢８の赤道部がＹ方向に伸びる力を受けることになり、水晶体嚢８の内部に位置した弾性を持つ眼内レンズ３０も同じ方向に伸びながら、その厚さが厚くなるか、位置移動が発生する。このとき、毛様小帯７により加えられる力は、単純にＹ軸の一方向にのみ作用するのではなく、実質的にＸ、Ｙ、Ｚの三軸方向のベクトルが組み合わせられた複合運動をなし、このような複合運動（ねじれを含む）は、複合運動伝達面２０を介してより効率よく連結手段５０の拡張部５２に伝達される。このとき、連結手段５０に形成された変形促進溝５２ｃによって、連結手段５０は複合運動による変形量が増加する。そして、複合運動（ねじれを含む）は、再び溝５４、固定部３３及びハプティック部３２を経て眼内レンズ３０のオプティック部３１に伝達される。このとき、複合運動伝達面２０の役割、内周面１２及び拡張部５２の役割、並びに溝５４及び固定部３３の役割は、前述したとおりである。
【００７８】
このように、本発明に係る眼内レンズ組立体は、ハプティック部３２の末端に、凹部３３ａ及び凸部３３ｂを有する固定部３３が形成され、連結手段５０には、固定部３３の凹部３３ａ及び凸部３３ｂに対応する断面形状の凸部５４ｂ及び凹部５４ａを有する溝５４が形成された構造で構成されることにより、固定部３３が溝５４に安着して運動伝達能力が向上するのである。また、連結手段５０の拡張部５２が眼内レンズ支持体１０の内周面１２に密着する構造で形成されることにより、運動伝達能力が向上するのである。また、変形促進溝５２ｃが備えられることにより、連結手段５０の運動伝達能力が向上するのである。
【００７９】
また、本発明に係る眼内レンズ支持体１０に複合運動伝達面２０を形成する場合には、毛様小帯の微細な運動や３軸方向に同時に作用する複合運動がより効果的に眼内レンズ支持体１０を経て連結手段５０及び眼内レンズ３０に伝達されるので、眼内レンズ３０は天然水晶体と同様にその厚さ調節や位置調節が可能となるのである。すなわち、天然水晶体の厚さが毛様小帯に連結された水晶体嚢の作用により微細に調節されるのと同様に、本発明に係る眼内レンズ支持体を使用する眼内レンズも、厚さ変化や位置移動や形状変更が天然水晶体のように実施できるのである。
【００８０】
本発明は、上述した特定の好適な実施例に限定されず、請求の範囲で請求する本発明の要旨を逸脱することなく、当該発明の属する技術分野における通常の知識を有する者であれば誰でも様々な変形実施が可能なのはもとより、それらの変更も請求の範囲に記載された範囲内にある。
【図１】
2019130376.tif 000003
【図２】
2019130376.tif 000004
【図３】
2019130376.tif 000005
【図４】
2019130376.tif 000006
【図５】
2019130376.tif 000007
【図６】
2019130376.tif 000008
【図７】
2019130376.tif 000009
【図８】
2019130376.tif 000010
【図９】
2019130376.tif 000011
【図１０】
2019130376.tif 000012
【図１１】
2019130376.tif 000013
【図１２】
2019130376.tif 000014
【図１３】
2019130376.tif 000015
【図１４】
2019130376.tif 000016
【図１５】
2019130376.tif 000017